(57)【要約】      （修正有）【課題】天井取付け後に左右方向及び上下傾きをネジ無しで調整可能で、取付部の外観が優れた吊下げ装置を提供する。【解決手段】天井固定板部１と、化粧カバー２と、アルミ押出成形材の支柱部３と、取付金物５と、中央に球面状の窪みと取付ボルト貫通穴が形成され取付金物５に固定された回動受台と、回動受台に載置され中心部分に回動受台の窪みに嵌合する半球突起１２ａを備えた回動板１２と、円柱の先端が回動板１２の半球突起１２ａに嵌合し附勢部材収容孔１３ｂを備えた回動板押え金物１３と、回動板１２に固定された機器取付板１８とから構成されていることを特徴とする。【選択図】図１
0003148908.tif 000002
【実用新案登録請求の範囲】
【請求項１】
天井固定板部と、天井固定板部に立設された支柱取付金物に嵌合されて固定される内壁を備えたアルミ押出成形材の支柱部と、支柱部の先端に嵌合されて固定された逆Ｕ字の取付金物と、中央に球面状の窪みと取付ボルト貫通穴が形成され取付金物に固定された回動受台と、回動受台に載置され取付ボルトを介して圧着される機器取付部と、天井固定板部を覆う化粧カバーとから構成され、
前記機器取付部は、中心部分に回動受台の窪みに嵌合する半球突起が形成され、周囲に円形鍔を備えた回動板と、円柱の先端が前記回動板の半球突起に嵌合する球面に形成され、中心軸方向に前記取付ボルトが貫通する取付孔と附勢部材収容孔とを備えた回動板押え金物と、回動板押え金物を回動受台方向に附勢する揺動規制バネと、取付ボルトの締め付けを規制するスタット及びワッシャーと、回動板の円形鍔に固定された機器取付板とから構成され、
機器取付後に、機器取付板が左右、上下に回動自在且つ、位置保持可能に構成されていることを特徴とする機器吊り下げ装置。
【請求項２】
前記回動板は、半球突起の中心を貫通する取付ボルト貫通孔が設けられ、その貫通孔が半球突起の中心から円周方向に向けて略３０度の幅を有する長楕円に形成されていることを特徴とする請求項１記載の機器吊り下げ装置。
【請求項３】
さらに、前記機器取付板に吊下げフックと仮固定ラッチ及び固定ネジ孔とを設け、披吊下げ機器に予め接続固定する機器側取付板を備え、
前記機器側取付板の角穴を前記吊下げフックに差込み、引っ掛け蝶番とすることにより、披吊下げ機器の着脱を容易にしたことを特徴とする請求項１記載の機器吊り下げ装置。
【考案の詳細な説明】
【技術分野】
【０００１】
本考案は、プロジェクターなどのＡＶ機器を天井から吊り下げ固定する装置に関する。
【背景技術】
【０００２】
従来、プロジェクターは使用の都度机や台の上に設置してスクリーンに投影していたが、部屋を広く利用するために機器を天井から吊り下げて常設設置することが多くなってきている。
【０００３】
図７は従来のプロジェクターの吊り下げ装置の斜視図である。この装置は、天井に取付板３０を介して垂下されたパイプ３２に上下動自在に係合されたメインパイプ３３を軸として移動部材３４が水平方向に回転自在に取付けられ、移動部材３４の内側に回動軸３５を中心に回動自在に取付けられた取付ベース部３６により天井面から揺動可能として方向調整ができる構造とされていた。
【０００４】
しかしながら、これらの左右回動、或いは上下揺動の調整を行うには、その都度固定ねじ３９、４１を緩めて行い、位置決めの後に固定するわずらわしさがあった。さらに、これらの調整部が露出しており、天井の美観を損ねる問題があった。又、特許文献１に開示された発明においては、６方向の調整が可能であるが、其々の調整には、固定ナットを緩めて調整ナットを回転させるわずらわしさがあった。
【０００５】
【特許文献１】特開平８−２７５０９３号公報（第２、３頁、第１図）
【考案の開示】
【考案が解決しようとする課題】
【０００６】
本考案は、前記の問題を解決するため、天井取付け後に左右方向及び上下傾きをネジ無しで調整可能で、取付部の外観が優れた吊下げ装置を提供することを課題とする。
【課題を解決するための手段】
【０００７】
前記課題を解決するため、本考案の機器吊り下げ装置は、天井固定板部と、天井固定板部に立設された支柱取付金物に嵌合されて固定される内壁を備えたアルミ押出成形材の支柱部と、支柱部の先端に嵌合されて固定された逆Ｕ字の取付金物と、中央に球面状の窪みと取付ボルト貫通穴が形成され取付金物に固定された回動受台と、回動受台に載置され取付ボルトを介して圧着される機器取付部と、天井固定板部を覆う化粧カバーとから構成され、
前記機器取付部は、中心部分に回動受台の窪みに嵌合する半球突起が形成され、周囲に円形鍔を備えた回動板と、円柱の先端が前記回動板の半球突起に嵌合する球面に形成され、中心軸方向に前記取付ボルトが貫通する取付孔と附勢部材収容孔とを備えた回動板押え金物と、回動板押え金物を回動受台方向に附勢する揺動規制バネと、取付ボルトの締め付けを規制するスタット及びワッシャーと、回動板の円形鍔に固定された機器取付板とから構成され、
機器取付後に、機器取付板が左右、上下に回動自在且つ、位置保持可能に構成されていることを特徴とする。
【０００８】
また、前記回動板は、半球突起の中心を貫通する取付ボルト貫通孔が設けられ、その貫通孔が半球突起の中心から円周方向に向けて略３０度の幅を有する長楕円に形成されていることを特徴とする。
【０００９】
また、さらに、前記機器取付板に吊下げフックと仮固定ラッチ及び固定ネジ孔とを設け、披吊下げ機器に予め接続固定する機器側取付板を備え、
前記機器側取付板の角穴を前記吊下げフックに差込み、引っ掛け蝶番とすることにより、披吊下げ機器の着脱を容易にしたことを特徴とする。
【考案の効果】
【００１０】
本考案によれば、天井取付けが容易で、機器取付後にも、ネジ止めの解除をすることなく左右３６０度、上下傾きを３０度の範囲で取付機器の方向を調整することができる。また、引っ掛け蝶番方式の機器取付板を用いることにより機器の着脱が容易となる。
【００１１】
さらに、天井固定部が化粧カバーで覆われ、垂下される支柱部がアルミ押出成形材の金属光沢を有し設置室内の美観を損ねることがない。
【考案を実施するための最良の形態】
【００１２】
以下、図面を参照して本考案の機器吊り下げ装置の実施の形態を詳細に説明する。
【００１３】
図１は、本考案の機器吊り下げ装置の正面を示す一部断面図である。
【００１４】
図において、機器吊り下げ装置１００は、天井面Ａにネジ止め固定される天井固定板部１と、天井固定板部１を覆う化粧カバー２と、天井固定板部１に立設された支柱取付金物１ｂに嵌合されてネジ止め固定される内壁３ａを備えたアルミ押出成形材の支柱部３と、支柱部３の先端に嵌合されてネジ止め固定された逆Ｕ字の取付金物５と、中央に球面状の窪み６ｂと取付ボルト貫通穴６ａが形成され取付金物５に固定された回動受台６と、回動受台６に載置され取付ボルト１６を介して圧着される機器取付部１０とから構成される。
【００１５】
前記機器取付部１０は、中心部分に回動受台６の窪みに嵌合する半球突起１２ａが形成され、周囲に円形鍔１２ｂを備えた回動板１２と、円柱の先端が回動板１２の半球突起１２ａに嵌合する球面に形成され、中心軸に取付ボルト１６が貫通する取付孔１３ａと附勢部材収容孔１３ｂとを備えた回動板押え金物１３と、回動板押え金物１３を回動受台６方向に附勢する揺動規制バネ１５と、取付ボルト１６の締め付けを規制するスタット１４及びワッシャー１７と、回動板１２の円形鍔１２ｂに固定された機器取付板１８とから構成されている。
【００１６】
この構成により、回動板１２に固定された機器取付板１８は、回動板押え金物１３により回動受台６に揺動規制バネ１５の附勢圧力により圧着され、取付けた機器の重量では動かない。なお、揺動規制バネ１５は、取付金物５に溶接固定されたナット１６ａに螺合された取付ボルト１６で圧縮されている。
【００１７】
取付けた機器の投影方向を調節する場合は、揺動規制バネ１５の附勢圧力を超える力で、回動受台６の球面状の窪み６ｂと回動板１２の半球突起１２ａの接触面を摺動させることにより、回動板１２を貫通する取付ボルト１６を中心にして機器取付板１８を水平方向に３６０度回転させることができる。
【００１８】
また、所望の回転をさせた後は、その位置で揺動規制バネ１５の附勢圧力により位置を保持させることができる。
【００１９】
この実施の形態で前記ワッシャー１７は、金属ワッシャー１７ａとウレタン製の緩衝ワッシャー１７ｂを重ねて用いている。スタット１４は取付ボルト１６の締め付けを規制し揺動規制バネ１５の附勢圧力を一定以下とするためのものである。
【００２０】
取付ボルト１６の先端近傍には抜止めピン１６ｂ用の孔が穿孔されており、取付ボルト１６を緩めた際に機器取付部１０が落下する虞を防止している。
【００２１】
さらに、回動板１２の半球突起１２ａに設けられた取付ボルトの貫通孔は、半球突起１２ａの中心から円周方向に向けて略３０度の幅を有する長楕円に形成された傾き調整長穴１２ｃとされており（図２参照）、取付ボルト１６位置を長楕円の範囲で移動させることができる。
【００２２】
これにより、機器の投影方向を垂直方向に３０度範囲で傾けるように、機器取付板１８を傾けることができる。
【００２３】
図２は、本考案の回動板１２に固定された機器取付板１８の第１の実施の形態を示す平面図である。
【００２４】
回動板１２は、金属円板をプレス加工し円形鍔１２ｂの中心に半球突起１２ａが形成され、半球突起１２ａの球状壁面に傾き調整長穴１２ｃが穿孔してある。１２ｄは機器取付板１８との固定に用いるネジ孔である。
【００２５】
機器取付板１８は中心に回動板１２の半球突起１２ａを嵌めこむ円形穴があけられた回動板取付部１８ａと、その四方に延長された取付翼１８ｂに形成されている。
【００２６】
取付翼１８ｂは、回動板取付部１８ａから角度を付けて斜めに延びその水平先端にボルト頭部が挿入される大径孔とボルト径の小径孔が連接されたひょうたん孔１８ｃが穿孔されている。ひょうたん孔１８ｃにより機器取付けの際にはボルト頭部を容易に嵌めこむことができる。
【００２７】
次に支柱部３の構造を図を参照して説明する。図３は本考案の支柱部の断面図である。
【００２８】
支柱部３はアルミ押出材で、断面が略楕円形状で、内面に中心から等距離に平行な内壁３ａを有し、楕円頂部の両端がカットされた形状で楕円カバー３ｂ、及び平板カバー３ｃを嵌合する嵌合部が形成されている。
【００２９】
楕円カバー３ｂが嵌合される側は、ＡＶ機器の配線を貫通させる配線空間３ｄを有している。この場合、楕円カバー３ｂの機器取付部１０方向の端部に配線貫通用の切り欠き、又は開口を設けておく。
【００３０】
支柱部３は、天井から垂下する寸法にその都度切断し、長手方向両端の内壁３ａに支柱取付金物１ｂ及び取付金物５を挿入固定するネジの貫通孔を穿孔して使用する。
【００３１】
図４は、本考案の天井固定板部を示し、（ａ）は平面図、（ｂ）は正面図である。
【００３２】
天井固定板部１は、天板固定板１ａと、天板固定板１ａを折り曲げて立設した支柱取付金物１ｂとからなる。支柱取付金物１ｂは、この実施の形態ではさらに強度を確保するため折り曲げ加工した２辺と直交する２辺に金物を溶接して支柱部３の内壁３ａに挿入する角柱状に形成している。１ｃは天井面に固定するためのネジ孔、１ｄは支柱部３の内壁３ａと固定するためのネジ孔である。
【００３３】
吊下げるＡＶ機器が大型で重量がある場合、又は天井取付面の強度が少ない場合は、天井面との間に天井固定板１ａより広い面積の補助取付板（図示せず）を設け、天井面への負荷を分散させ、その補助取付板に立設したネジに本考案の天板固定板１ａをナット留めする。
【００３４】
また、ＡＶ機器に設けられた取付ネジ孔配置は、異なるメーカー或いは同じメーカーでもＡＶ機器の種類により異なる場合がある。本考案の機器取付板１８のひょうたん孔１８ｃと機器のネジ孔位置が異なる場合は、機器のネジ孔配置に合わせた機器別取付板（図示せず）を制作し、機器別取付板に立設したネジに本考案の機器取付板１８をナット留めすることが望ましい。
【００３５】
次に、本考案の機器取付板の第２の実施の形態を説明する。図５は本考案の機器取付板の第２の実施の形態を示す斜視図である。
【００３６】
機器取付板２０は、機器吊り下げ装置１００の回動板１２の円形鍔１２ｂ上に被せてネジ留め固定するため中央に嵌合穴２０ｃとネジ孔２０ｆが設けられ、一方側にＶ字溝に形成された吊下げフック２０ａと、他方側にラッチ穴２０ｄと固定ネジ孔２０ｅが形成され、ラッチ穴２０ｄに対向する位置にラッチ２１が取付けられている。
【００３７】
機器側取付板２２は、披吊下げ機器５０との固定穴２２ｃを有する金属板の一方則に斜めに立ち上がる側壁２２ａに角穴２２ｂが形成され、一方側壁にラッチ穴２２ｄと、固定ネジ孔２２ｅが形成されている。
【００３８】
機器取付板２０の嵌合穴２０ｃには、支柱部３を挿通させ（矢印）円形鍔１２ｂの上部にネジ留め固定する。一方、機器側取付板２２は角穴２２ｂを機器取付板２０の吊下げフック２０ａに嵌め込み、他方側の側壁を機器取付板２０のラッチ２１で仮止めした上、固定ネジ２３で機器取付板２０に固定する。
【００３９】
図６は、本考案の機器取付板の第２の実施の形態の着脱動作を示す断面図である。
【００４０】
図６に示すように、機器取付板２０の吊下げフック２０ａに角穴２２ｂを嵌め込んだ機器側取付板２２は、Ｖ字溝に形成された吊下げフック２０ａにより、回動自在な引っ掛け蝶番を形成する。
【００４１】
ここで、吊下げフック２０ａの先端が曲げられたフック２０ｂは、吊下げられた披吊下げ機器５０を左に回転させた際の機器側取付板２２の飛び出しを防止する。
【００４２】
図に示すように、披吊下げ機器５０の後部に機器側取付板２２の角穴２２ｂを配し、引っ掛け蝶番の軸を後部に設けるのは、電源線、信号線などのコード類が開放時に回転により引っ張られるのを防ぐ。
【００４３】
次に、回転させながら持上げ、機器取付板２０のラッチ２１をラッチ穴２０ｄ及び機器側取付板２２のラッチ穴２２ｄに貫入させて仮固定する。仮固定の解除はラッチ２１の上部をプッシュするにより容易に行なえる。
続いて、仮固定されている機器取付板２０と、機器側取付板２２を前部から固定ネジ２３でネジ留めする。
【００４４】
本考案は、機器吊り下げ装置であるが、天井固定板部１を床面に固定することとすれば、床面固定用として用いることもできる。また、取付ける機器は、プロジェクターなどのＡＶ機器に限るものではない。
【図面の簡単な説明】
【００４５】
【図１】本考案の機器吊り下げ装置の正面を示す一部断面図である。
【図２】本考案の回動板に固定された機器取付板の第１の実施の形態を示す平面図である。
【図３】本考案の支柱部の断面図である。
【図４】本考案の天井固定板部を示し、（ａ）は平面図、（ｂ）は正面図である。
【図５】本考案の機器取付板の第２の実施の形態を示す斜視図である。
【図６】本考案の機器取付板の第２の実施の形態の着脱動作を示す断面図である。
【図７】従来の吊り下げ装置の斜視図である。
【符号の説明】
【００４６】
１    天井固定板部
１ａ  天井固定板
１ｂ  支柱取付金物
１ｃ  ネジ孔
１ｄ  ネジ孔
２    化粧カバー
３    支柱部
３ａ  内壁
３ｂ  楕円カバー
３ｃ  平板カバー
３ｄ  配線空間
４    取付ネジ
５    取付金物
６    回動受台
６ａ  貫通穴
１０    機器取付部
１２    回動板
１２ａ  半球突起
１２ｂ  円形鍔
１２ｃ  傾き調整長穴
１２ｄ  ネジ孔
１３    回動板押え金物
１３ａ  取付孔
１３ｂ  附勢部材収容孔
１４    スタット
１５    揺動規制バネ
１６    取付ボルト
１６ａ  ナット
１６ｂ  抜止めピン
１７    ワッシャー
１７ａ  金属ワッシャー
１７ｂ  緩衝ワッシャー
１８    機器取付板
１８ａ  回動板取付部
１８ｂ  取付翼
１８ｃ  ひょうたん孔
２０    機器取付板
２０ａ  吊下げフック
２０ｂ  フック
２０ｃ  嵌合穴
２０ｄ  ラッチ穴
２０ｅ  固定ネジ孔
２０ｆ  ネジ孔
２１    ラッチ
２２    機器側取付板
２２ａ  側壁
２２ｂ  角穴
２２ｃ  固定穴
２２ｄ  ラッチ穴
２２ｅ  固定ネジ孔
２３    固定ネジ
３０    取付板
３２    パイプ
３３    メインパイプ
３４    移動部材
３５    回動軸
３６    取付ベース部
３９    固定ネジ
４１    固定ネジ
１００    機器吊り下げ装置
Ａ      天井面
【図１】
0003148908.tif 000003
【図２】
0003148908.tif 000004
【図３】
0003148908.tif 000005
【図４】
0003148908.tif 000006
【図５】
0003148908.tif 000007
【図６】
0003148908.tif 000008
【図７】
0003148908.tif 000009